(57)【要約】      （修正有）【課題】背当て部と背中との間に間隙を自在に設けるリュックサックを提供する。【解決手段】リュックサック１は、背負った際に背中に対向する背当て部３に設けられたベース３ａ、ベース３ａに傾動可能に固定される少なくとも１つのスペーサ１０の傾動部材、及び傾動部材をベース３ａから離間する固定角度で固定する固定機構であるスペーサ１０の固定部材を含んで構成される。背当て部３に設けられたベース３ａ上で、そのベース３ａに固定された少なくとも１つの傾動部材を傾動し、その傾動部材を固定部材によりベース３ａから離間する角度で固定することで、スペーサ１０により傾動部材の先端が背中に当接して、リュックサック１を背負った際にリュックサック１の背当て部と背中との間に間隙を設けることができる。【選択図】図１
2017051443.tif 000002
【特許請求の範囲】
【請求項１】
被収容物を収容して背負うリュックサックであって、
背負った際に背中に対向する背当て部に設けられたベースと、
前記ベースに傾動可能に固定される少なくとも１つのスペーサと、
前記スペーサを前記ベースから離間する固定角度で固定する固定機構と、
を備えるリュックサック。
【請求項２】
前記ベースは、少なくとも前記背当て部の左右に各１つ設けられ、
前記スペーサは、２つの前記ベースに各１つ固定されることを特徴とする、請求項１に記載のリュックサック。
【請求項３】
前記ベースは、前記背当て部の左右に延設され、
前記スペーサは、前記ベースの左右に各１つ固定されることを特徴とする、請求項１に記載のリュックサック。
【請求項４】
前記スペーサは、前記ベース上で前記背当て部の上下方向に傾動することを特徴とする、請求項１から３のいずれか一項に記載のリュックサック。
【請求項５】
前記スペーサは、前記ベース上で前記背当て部の左右方向に傾動することを特徴とする、請求項１から３のいずれか一項に記載のリュックサック。
【請求項６】
前記スペーサは、幅方向に拡がる弾性を有し、
前記固定機構は、前記スペーサの両側部に当接して前記幅方向の拡がりを規制する一対の留め具を有し、該一対の留め具は前記固定角度で最も離間することを特徴とする、請求項１から５のいずれか一項に記載のリュックサック。
【請求項７】
前記スペーサは、Ｕ字状に形成され、
前記固定機構が有する一対の留め具は、前記スペーサの２つの脚部のそれぞれに当接することを特徴とする、請求項６に記載のリュックサック。
【請求項８】
前記一対の留め具は、前記固定角度で前記スペーサの両側部が拡がって嵌入する溝部をそれぞれ有することを特徴とする、請求項１から７のいずれか一項に記載のリュックサック。
【請求項９】
前記固定機構は、前記固定角度で前記スペーサの少なくとも一部が嵌入する溝部を有する留め具を含むことを特徴とする、請求項１から５のいずれか一項に記載のリュックサック。
【発明の詳細な説明】
【技術分野】
【０００１】
本発明は、被収容物を収容して背負うリュックサックに関する。
【背景技術】
【０００２】
通勤、通学、登山を含む多種多様な場面において、被収容物を収容して背負う袋体状のリュックサックが利用される。従来のリュックサックは、背負った際に背中に対向する背当て部がフラットであるため、背当て部が背中に常時密着し、発汗により背中が蒸れ、特に夏場に不快を感じるという問題がある。
【０００３】
そこで、特許文献１には、背当て部の上下にスペーサが設けられたリュックサックが開示されている。このリュックサックによれば、スペーサが背中に当接することで、リュックサックが背中に支持されるとともに背当て部と背中との間に空間が設けられる。また、特許文献２には、背当て部の４隅にスペーサが設けられ、中央に凹部が形成されたリュックサックが開示されている。このリュックサックによれば、４隅のスペーサが背中に当接することでリュックサックが背中に支持され、中央の凹部により背当て部と背中との間に空間が設けられる。しかし、いずれのリュックサックも、スペーサが常時背当て部に固定されているため、発汗による蒸れが生じることがない又は生じてもその程度の小さい冬場においても、背当て部と背中との間に間隙が設けられることとなる。また、スペーサの重量、体積がリュックサック使用時の軽快さを減じてしまう。
【先行技術文献】
【特許文献】
【０００４】
【特許文献１】特開２００４−３２９８０１号公報
【特許文献２】特開２００２−１４２８６２号公報
【発明の概要】
【発明が解決しようとする課題】
【０００５】
本発明は、背当て部と背中との間に間隙を自在に設けるリュックサックを提供することを課題とする。なお、「リュックサック」は、左右の肩にそれぞれ１のベルトを掛けて本体を背中に当接させる収容袋体全般を言う。
【課題を解決するための手段】
【０００６】
本発明は、被収容物を収容して背負うリュックサックであって、背負った際に背中に対向する背当て部に設けられたベースと、ベースに傾動可能に固定される少なくとも１つのスペーサと、スペーサをベースから離間する固定角度で固定する固定機構と、を備えるリュックサックである。
【０００７】
これによれば、背当て部に設けられたベース上で、そのベースに固定された少なくとも１つのスペーサを傾動し、そのスペーサを固定機構によりベースから離間する角度で固定することで、スペーサにより、リュックサックを背負った際にリュックサックの背当て部と背中との間に間隙を設けることができる。
【０００８】
本発明のリュックサックは、ベースは、少なくとも背当て部の左右に各１つ設けられ、スペーサは、２つのベースに各１つ固定されることを特徴とする。
【０００９】
これによれば、背当て部の左右に各１つ設けられたベースに各１つ設けられたスペーサにより、リュックサックを背負った際に背当て部の左右方向の中央に間隙を設けることができる。
【００１０】
本発明のリュックサックは、ベースは、背当て部の左右に延設され、スペーサは、ベースの左右に各１つ固定されることを特徴とする。
【００１１】
これによれば、背当て部の左右に延設されたベースの左右に各１つ固定されたスペーサにより、リュックサックを背負った際に背当て部の左右方向の中央に間隙を設けることができる。
【００１２】
本発明のリュックサックは、スペーサは、ベース上で背当て部の上下方向に傾動することを特徴とする。
【００１３】
これによれば、スペーサを背当て部の上下方向に傾動してベース上に重ねることができる。
【００１４】
本発明のリュックサックは、スペーサは、ベース上で背当て部の左右方向に傾動することを特徴とする。
【００１５】
これによれば、スペーサを背当て部の左右方向に傾動してベース上に重ねることができる。
【００１６】
本発明のリュックサックは、スペーサは、幅方向に拡がる弾性を有し、固定機構は、スペーサの両側部に当接して幅方向の拡がりを規制する一対の留め具を有し、該一対の留め具は固定角度で最も離間することを特徴とする。
【００１７】
これによれば、スペーサは幅方向に拡がる弾性を有し、固定機構が有する一対の留め具がスペーサの両側部に当接して幅方向の拡がりを規制する。スペーサの幅方向への拡がりが固定角度で最も離間する一対の留め具により規制されることで、スペーサの傾動を固定角度で留めることができる。
【００１８】
本発明のリュックサックは、スペーサは、Ｕ字状に形成され、固定機構が有する一対の留め具は、スペーサの２つの脚部のそれぞれに当接することを特徴とする。
【００１９】
これによれば、スペーサは、Ｕ字状に形成されることで幅方向に拡がる弾性を発現し、固定機構が有する一対の留め具は、スペーサの２つの脚部のそれぞれに当接することでスペーサの幅方向の拡がりを規制することができる。
【００２０】
本発明のリュックサックは、一対の留め具は、固定角度でスペーサの両側部が拡がって嵌入する溝部をそれぞれ有することを特徴とする。
【００２１】
これによれば、スペーサの両側部が拡がって一対の留め具が有する溝部に嵌入することで、スペーサの傾動を固定角度で留めることができる。
【００２２】
本発明のリュックサックは、固定機構は、固定角度でスペーサの少なくとも一部が嵌入する溝部を有する留め具を含むことを特徴とする。
【００２３】
これによれば、スペーサの少なくとも一部が固定機構の留め具が有する溝部に嵌入することで、スペーサの傾動を固定角度で留めることができる。
【発明の効果】
【００２４】
本発明のリュックサックによれば、背当て部と背中との間に間隙を自在に設けることが可能となる。すなわち、間隙を欲するときには設け、欲しないときには設けず、過大な重量、体積の増加がない。
【図面の簡単な説明】
【００２５】
【図１】図１は、リュックサックの全体構成を示す図である。
【図２】図２は、スペーサの構成を、傾動部材を折り畳んだ状態において示す図である。
【図３】図３は、スペーサの構成を、傾動部材の傾動が留められた状態において示す図である。
【図４】図４は、スペーサの別の構成を、傾動部材を折り畳んだ状態において示す図である。
【図５】図５は、スペーサの別の構成を、傾動部材の傾動が留められた状態において示す図である。
【図６】図６は、変形例に係るリュックサックの全体構成を示す図である。
【発明を実施するための形態】
【００２６】
以下、本発明の一実施形態について説明する。
【００２７】
図１に、リュックサック１の全体構成を示す。図中、背面側からリュックサック１が示されている。リュックサック１は、被収容物を収容して背負う袋体であり、袋体本体（単に本体と呼ぶ）２、背当て部３、２つのベルト４、及び吊り紐５から構成される。
【００２８】
本体２は、被収容物を収容する袋体であり、前面に設けられた開閉可能な開口（不図示）を介して被収容物を出し入れすることができる。
【００２９】
背当て部３は、本体２の背面に設けられ、背負った際に背中に対向する部分である。背当て部３の下側にベース３ａが左右方向に延設され、そのベース３ａ上の左右にスペーサ１０が各１つ固定されている。２つのスペーサ１０により、リュックサック１を背負った際に背当て部３の左右方向の中央に間隙を設けることができる。ここで、スペーサ１０の傾動部材１４は、ベース３ａ上で背当て部３の上下方向に傾動する。それにより、傾動部材１４をベース３ａ上に立てる又は重ねてスペーサ１０を自在に開閉して、背当て部３と背中との間に間隙を自在に設けることができる。スペーサ１０の構成については後述する。
【００３０】
２つのベルト４は、リュックサック１を背負う際に両肩に掛ける紐状部材である。２つのベルト４は、それぞれ、本体２の上部と両側部の下部との間に固定されている。２つのベルト４は、長さを調節する機構を有し、これを用いてそれぞれの長さをユーザの体格に合わせて調整することができる。
【００３１】
吊り紐５は、リュックサック１を掛けるための紐部材である。吊り紐５は、ループ状をなしてその両端を本体２の上部に固定されている。
【００３２】
図２及び図３に、スペーサ１０の構成を示す。図２及び図３は、それぞれ傾動部材１４を折り畳んだ状態（ベース３ａ上に重ねた状態）及び傾動部材１４の傾動が留められた状態（ベース３ａ上に立てた状態）を示す。なお、図２（Ａ）及び図３（Ａ）は正面図、図２（Ｂ）及び図３（Ｂ）は底面図、並びに図２（Ｃ）及び図３（Ｃ）は側面図である。スペーサ１０は、傾動部材１４及び固定部材１２を有する。
【００３３】
傾動部材１４は、リュックサック１を背負った際に背当て部３と背中との間に間隙を設ける部材である。傾動部材１４は、例えば金属製の棒状部材からなり、その中央をＵ字状に湾曲し、両端を一直線上に屈曲して形成されている。ここで、傾動部材１４は、幅ｗを有し、この幅ｗより小さい幅に挟圧することで幅方向に拡がる弾性を発現する。なお、傾動部材１４の構成は一例であり、幅方向に拡がる弾性を有する構成であれば任意の形状及び構成を採用してよい。
【００３４】
固定部材１２は、傾動部材１４を傾動可能に固定する部材である。固定部材１２は、例えば金属製の平板からなり、その中央に幅広い六角形状の開口１２ａが形成されている。ここで、開口１２ａの幅は、その中部で幅Ｗ１（傾動部材１４の幅ｗにほぼ等しい）であり、上部及び下部で幅Ｗ２（＜Ｗ１）である。なお、開口１２ａの形状は、固定部材１２の頂点において最も幅の広い形状であれば、六角形に限らず任意の形状としてよい。
【００３５】
また、固定部材１２は、図２（Ａ）における上下方向に湾曲して表側（すなわち、図２（Ａ）における手前側）に突出する凸部、言い換えると裏側に窪む凹部１２ｂが開口１２ａを挟んで図２（Ａ）における左右にそれぞれ形成されている。なお、凹部１２ｂの側面視における形状は、後述するように傾動部材１４の両端を挿入することができれば、任意の形状としてよい。
【００３６】
スペーサ１０は、傾動部材１４のＵ字部分を固定部材１２の裏側から開口１２ａに挿入し、傾動部材１４の両端を開口１２ａの左右の凹部１２ｂにそれぞれ挿入し、固定部材１２の裏面をベース３ａの表面に固定して構成される。それにより、固定部材１２により、傾動部材１４が傾動可能にベース３ａに固定される。ここで、固定部材１２の開口１２ａの左右部は、傾動部材１４の両側部、すなわちＵ字状に形成された傾動部材１４の２つの脚部にそれぞれ当接し、それにより傾動部材１４の幅方向の拡がりを規制する一対の留め具の役割を果たす。
【００３７】
さらに、開口１２ａは固定部材１２の頂点において最も幅広い形状を有する、言い換えると固定部材１２の左右部はそれぞれの頂点において最も離間する形状を有する。それにより、図３に示すように、固定部材１２の左右部により傾動部材１４の幅方向への拡がりが規制されることで、傾動部材１４の傾動中心から固定部材１２の左右部が最も離間する頂点の方向、すなわち９０度の角度（これを固定角度と呼ぶ）で傾動部材１４の傾動を留めることができる。
【００３８】
なお、一対の留め具である固定部材１２の開口１２ａの左右部に、固定角度で傾動部材１４の２つの脚部が拡がって嵌入する溝部を設けてもよい。傾動部材１４の両脚部が拡がって固定部材１２の左右部が有する溝部に嵌入することで、スペーサの傾動を固定角度で留めることができる。
【００３９】
以上詳細に説明したように、本実施形態のリュックサック１は、背負った際に背中に対向する背当て部３に設けられたベース３ａ、ベース３ａに傾動可能に固定される少なくとも１つのスペーサ１０の傾動部材１４、及び傾動部材１４をベース３ａから離間する固定角度で固定する固定機構であるスペーサ１０の固定部材１２を含んで構成される。背当て部３に設けられたベース３ａ上で、そのベース３ａに固定された少なくとも１つの傾動部材１４を傾動し、その傾動部材１４を固定部材１２によりベース３ａから離間する角度で固定することで、スペーサ１０により傾動部材１４の先端が背中に当接して、リュックサック１を背負った際にリュックサック１の背当て部と背中との間に間隙を設けることができる。
【００４０】
図４及び図５に、変形例に係るスペーサ２０の構成を示す。図４及び図５は、それぞれ傾動部材２４を折り畳んだ状態（ベース３ａ上に重ねた状態）及び傾動部材２４の傾動が留められた状態（ベース３ａ上に立てた状態）を示す。なお、図４（Ａ）及び図５（Ａ）は正面図並びに図４（Ｂ）及び図５（Ｂ）は側面図である。スペーサ２０は、傾動部材２４及び固定部材２２を有する。また、図４、図５に示したもの以外にも、多様な構成が可能である。
【００４１】
傾動部材２４は、リュックサック１を背負った際に背当て部３と背中との間に間隙を設ける部材である。傾動部材２４は、例えば金属製の棒状部材からなり、先端及び基端を同方向にコの字状に屈曲して形成されている。なお、傾動部材２４の形状は、基端を後述する固定部材２２の凹部（不図示）に挿入して傾動することができれば、任意の形状とすることができる。
【００４２】
固定部材２２は、傾動部材２４を傾動可能に固定する部材である。固定部材２２は、例えば金属製の平板からなり、その上辺中央に矩形状の溝部２２ａが形成されている。また、固定部材２２は、図３（Ａ）における左右方向に湾曲して表側（すなわち、図３（Ａ）における手前側）に突出する凸部、言い換えると裏側に窪む凹部（不図示）が左右方向の中央に形成されている。
【００４３】
スペーサ２０は、傾動部材２４の基端を固定部材２２の上方からその凹部（不図示）に挿入し、固定部材２２の裏面をベース３ａの表面に固定して構成される。固定部材２２により、傾動部材２４が傾動可能に且つ凹部（不図示）内で基端を上下動可能にベース３ａに固定される。ここで、固定部材２２の上辺部は、傾動部材２４に当接してその下方への動きを留める留め具の役割を果たす。
【００４４】
さらに、溝部２２ａが固定部材２２の上辺中央に形成されていることで、図５に示すように、傾動部材２４を溝部２２ａに嵌入することで、その傾動を、傾動部材２４の傾動中心から固定部材２２の溝部２２ａが設けられた方向、すなわち９０度の角度（これを固定角度と呼ぶ）で傾動部材２４の傾動を留めることができる。
【００４５】
なお、本実施形態のリュックサック１では、スペーサ１０は傾動部材１４を上下方向に傾動するよう背当て部３のベース３ａ上に固定することとしたが、これに代えて、図６に示すように、傾動部材１４を左右方向に傾動するよう固定することとしてもよい。それにより、傾動部材１４をベース３ａ上に立てる又は重ねてスペーサ１０を自在に開閉して、背当て部３と背中との間に間隙を自在に設けることができる。
【００４６】
なお、本実施形態のリュックサック１では、ベース３ａは背当て部３の左右に延設され、そのベース３ａ上の左右に各１つのスペーサ１０を固定することとしたが、これに代えて、ベース３ａは背当て部３の左右に各１つ設けられ、それら２つのベース３ａに各１つのスペーサ１０を固定することとしてもよい。背当て部３の左右に各１つ設けられたベース３ａに各１つ設けられたスペーサ１０により、リュックサック１を背負った際に背当て部３の左右方向の中央に間隙を設けることができる。
【００４７】
なお、本実施形態のリュックサック１では、２つのスペーサ１０を設けたが、スペーサ１０の数は２に限らず、１又は３以上でもよい。また、背当て部３の下側の左右に２つのスペーサ１０を設けたが、さらに背当て部３の上側の中央にスペーサ１０を設けてもよい。三点配置されるスペーサ１０にリュックサック１を背負った際に背当て部３と背中の間の広い範囲に間隙が設けられる。
【００４８】
また、スペーサ１０，２０の傾動部材１４，２４の先端に、背中への接触を緩衝する緩衝材を設けてもよい。
【００４９】
また、スペーサ１０，２０の固定角度は９０度に限らず任意の角度でよい。すなわち、スペーサ１０において、開口１２ａは固定部材１２の頂点以外の位置で最も幅広い形状を有する、言い換えると固定部材１２の左右部はそれぞれの頂点以外の位置で最も離間する形状を有してよい。スペーサ２０において、固定部材２２における溝部２２ａは任意の位置に設けられてよい。
【００５０】
なお、スペーサ１０、２０を腰部に当てることで、比較的細いスペーサの先端による指圧的効果も期待される。
【産業上の利用可能性】
【００５１】
本発明のリュックサックは、背当て部と背中との間に間隙を自在に設けることが可能なリュックサックを提供する。
【符号の説明】
【００５２】
１    リュックサック
２    本体
３    背当て部
３ａ  ベース
４    ベルト
５    吊り紐
１０    スペーサ
１２    固定部材
１２ａ  開口
１２ｂ  凹部
１４    傾動部材
２０    スペーサ
２２ａ  溝部
２２    固定部材
２４    傾動部材
【図１】
2017051443.tif 000003
【図２】
2017051443.tif 000004
【図３】
2017051443.tif 000005
【図４】
2017051443.tif 000006
【図５】
2017051443.tif 000007
【図６】
2017051443.tif 000008
【手続補正書】
【提出日】平成28年12月11日(2016.12.11)
【手続補正１】
【補正対象書類名】特許請求の範囲
【補正対象項目名】全文
【補正方法】変更
【補正の内容】
【特許請求の範囲】
【請求項１】
被収容物を収容して背負うリュックサックであって、  背負った際に背中に対向する背当て部に設けられたベースと、  前記ベースに傾動可能に固定される少なくとも１つのスペーサと、  前記スペーサの傾動部材を前記ベースから離間する固定角度で固定する固定部材と、を備えるリュックサック。
【請求項２】
前記ベースは、少なくとも前記背当て部の左右に各１つ設けられ、  前記スペーサは、２つの前記ベースに各１つ固定されることを特徴とする、請求項１に記載のリュックサック。
【請求項３】
前記ベースは、前記背当て部の左右に延設され、  前記スペーサは、前記ベースの左右に各１つ固定されることを特徴とする、請求項１に記載のリュックサック。
【請求項４】
前記傾動部材は、前記ベース上で前記背当て部の上下方向に傾動することを特徴とする、請求項１から３のいずれか一項に記載のリュックサック。
【請求項５】
前記傾動部材は、前記ベース上で前記背当て部の左右方向に傾動することを特徴とする、請求項１から３のいずれか一項に記載のリュックサック。
【請求項６】
前記傾動部材は、幅方向に拡がる弾性を有し、  前記固定部材は、前記傾動部材の両側部に当接して前記幅方向の拡がりを規制する一対の留め具を有し、該一対の留め具は前記固定角度で最も離間することを特徴とする、請求項１から５のいずれか一項に記載のリュックサック。
【請求項７】
前記傾動部材は、Ｕ字状に形成され、  前記固定部材が有する一対の留め具は、前記傾動部材の２つの脚部のそれぞれに当接することを特徴とする、請求項６に記載のリュックサック。
【請求項８】
前記一対の留め具は、前記固定角度で前記傾動部材の両側部が拡がって嵌入する溝部をそれぞれ有することを特徴とする、請求項１から７のいずれか一項に記載のリュックサック。
【請求項９】
前記固定部材は、前記固定角度で前記傾動部材の少なくとも一部が嵌入する溝部を有する留め具を含むことを特徴とする、請求項１から５のいずれか一項に記載のリュックサック。
【手続補正２】
【補正対象書類名】明細書
【補正対象項目名】０００６
【補正方法】変更
【補正の内容】
【０００６】  本発明は、被収容物を収容して背負うリュックサックであって、背負った際に背中に対向する背当て部に設けられたベースと、ベースに傾動可能に固定される少なくとも１つのスペーサと、スペーサの傾動部材をベースから離間する固定角度で固定する固定部材と、を備えるリュックサックである。
【手続補正３】
【補正対象書類名】明細書
【補正対象項目名】０００７
【補正方法】変更
【補正の内容】
【０００７】  これによれば、背当て部に設けられたベース上で、そのベースに固定された少なくとも１つのスペーサを傾動し、そのスペーサの傾動部材を固定部材によりベースから離間する角度で固定することで、スペーサにより、リュックサックを背負った際にリュックサックの背当て部と背中との間に間隙を設けることができる。
【手続補正４】
【補正対象書類名】明細書
【補正対象項目名】００１２
【補正方法】変更
【補正の内容】
【００１２】  本発明のリュックサックは、傾動部材は、ベース上で背当て部の上下方向に傾動することを特徴とする。
【手続補正５】
【補正対象書類名】明細書
【補正対象項目名】００１３
【補正方法】変更
【補正の内容】
【００１３】  これによれば、傾動部材を背当て部の上下方向に傾動してベース上に重ねることができる。
【手続補正６】
【補正対象書類名】明細書
【補正対象項目名】００１４
【補正方法】変更
【補正の内容】
【００１４】  本発明のリュックサックは、傾動部材は、ベース上で背当て部の左右方向に傾動することを特徴とする。
【手続補正７】
【補正対象書類名】明細書
【補正対象項目名】００１５
【補正方法】変更
【補正の内容】
【００１５】  これによれば、傾動部材を背当て部の左右方向に傾動してベース上に重ねることができる。
【手続補正８】
【補正対象書類名】明細書
【補正対象項目名】００１６
【補正方法】変更
【補正の内容】
【００１６】  本発明のリュックサックは、傾動部材は、幅方向に拡がる弾性を有し、固定部材は、スペーサの両側部に当接して幅方向の拡がりを規制する一対の留め具を有し、該一対の留め具は固定角度で最も離間することを特徴とする。
【手続補正９】
【補正対象書類名】明細書
【補正対象項目名】００１７
【補正方法】変更
【補正の内容】
【００１７】  これによれば、傾動部材は幅方向に拡がる弾性を有し、固定機構が有する一対の留め具が傾動部材の両側部に当接して幅方向の拡がりを規制する。傾動部材の幅方向への拡がりが固定角度で最も離間する一対の留め具により規制されることで、傾動部材の傾動を固定角度で留めることができる。
【手続補正１０】
【補正対象書類名】明細書
【補正対象項目名】００１８
【補正方法】変更
【補正の内容】
【００１８】  本発明のリュックサックは、傾動部材は、Ｕ字状に形成され、固定部材が有する一対の留め具は、傾動部材の２つの脚部のそれぞれに当接することを特徴とする。
【手続補正１１】
【補正対象書類名】明細書
【補正対象項目名】００１９
【補正方法】変更
【補正の内容】
【００１９】  これによれば、傾動部材は、Ｕ字状に形成されることで幅方向に拡がる弾性を発現し、固定部材が有する一対の留め具は、傾動部材の２つの脚部のそれぞれに当接することで傾動部材の幅方向の拡がりを規制することができる。
【手続補正１２】
【補正対象書類名】明細書
【補正対象項目名】００２０
【補正方法】変更
【補正の内容】
【００２０】  本発明のリュックサックは、一対の留め具は、固定角度で傾動部材の両側部が拡がって嵌入する溝部をそれぞれ有することを特徴とする。
【手続補正１３】
【補正対象書類名】明細書
【補正対象項目名】００２１
【補正方法】変更
【補正の内容】
【００２１】  これによれば、傾動部材の両側部が拡がって一対の留め具が有する溝部に嵌入することで、傾動部材の傾動を固定角度で留めることができる。
【手続補正１４】
【補正対象書類名】明細書
【補正対象項目名】００２２
【補正方法】変更
【補正の内容】
【００２２】  本発明のリュックサックは、固定部材は、固定角度で傾動部材の少なくとも一部が嵌入する溝部を有する留め具を含むことを特徴とする。
【手続補正１５】
【補正対象書類名】明細書
【補正対象項目名】００２３
【補正方法】変更
【補正の内容】
【００２３】  これによれば、傾動部材の少なくとも一部が固定部材の留め具が有する溝部に嵌入することで、傾動部材の傾動を固定角度で留めることができる。